(57)【要約】【課題】  防湿性に優れ、機械的強度が高く、梱包、開梱が容易に行え分別廃棄の容易な輝尽性蛍光体プレートの梱包構造等を提供すること。【解決手段】  支持基板７の表面に輝尽性蛍光体層５を形成すると共に、支持基板７の外周部に取付基準プレート９と取付バネ突起１１とを備える輝尽性蛍光体プレート３の梱包構造であって、取付基準プレート９と取付バネ突起１１を含む設置部位周辺の支持基板７の側面及び下面を保持するインナーパッド１５と、インナーパッド１５によって保持された状態の輝尽性蛍光体プレート３をインナーパッド１５と一緒に密封状態で収容する防湿袋１７と、防湿袋１７の外方から少なくともインナーパッド１５によって保持されていない輝尽性蛍光体プレート３の前面及び後面と、インナーパッド１５によって保持されている部位の輝尽性蛍光体プレート３の上面を保持するアウターパッド１９とを備える。【選択図】  図５
2007030930.tif 000002
【特許請求の範囲】
【請求項１】
支持基板の表面に輝尽性蛍光体層を形成すると共に、支持基板の外周部に取付基準プレートと取付バネ突起とを備える輝尽性蛍光体プレートの梱包構造において、
前記取付基準プレートと取付バネ突起とを含む設置部位周辺の支持基板の側面及び下面を保持するインナーパッドと、該インナーパッドによって保持された状態の輝尽性蛍光体プレートとインナーパッドとを一緒に密封状態で収容する防湿袋と、少なくとも、インナーパッドによって保持されていない輝尽性蛍光体プレートの前面及び後面と、インナーパッドによって保持されている部位の輝尽性蛍光体プレートの上面とを防湿袋の外方から保持するアウターパッドとを備えていることを特徴とする輝尽性蛍光体プレートの梱包構造。
【請求項２】
請求項１において、前記インナーパッドによって保持された状態の輝尽性蛍光体プレートは、インナーパッドを含めた幅寸法及び奥行寸法が輝尽性蛍光体プレート単体での幅寸法及び奥行寸法に比べてそれぞれ２０〜６０ｍｍ大きくなるように設定されていることを特徴とする輝尽性蛍光体プレートの梱包構造。
【請求項３】
請求項１または２において、前記インナーパッドには前記取付基準プレートを受け入れる水平凹部と、前記取付バネ突起を受け入れる垂直凹部とが設けられており、取付基準プレートの前後の端縁と水平凹部の前後の内壁面との間には、３〜１０ｍｍの間隙が形成されていることを特徴とする輝尽性蛍光体プレートの梱包構造。
【請求項４】
請求項１〜３のいずれかにおいて、前記インナーパッドは前記取付基準プレートと取付バネ突起とを含む設置部位周辺の支持基板の下面を主に保護する２種類のインナーアンダーパッドと、取付基準プレートと取付バネ突起とを含む設置部位周辺の支持基板の左右の側面を主に保持するインナーサイドパッドとを組み合わせることによって構成されていて、このうちインナーアンダーパッドはインナーサイドパッドよりも発泡倍率の大きい発泡樹脂によって形成されていることを特徴とする輝尽性蛍光体プレートの梱包構造。
【請求項５】
請求項１〜４のいずれかにおいて、前記輝尽性蛍光体プレートは輝尽性蛍光体層が蒸着によって形成されており、該蒸着された輝尽性蛍光体層の表面を防湿性フィルムでシールすると共に、支持基板に対してエアバッファを備えた蒸着型イメージングプレートであることを特徴とする輝尽性蛍光体プレートの梱包構造。
【請求項６】
請求項５において、前記インナーパッドには支持基板に対して設けられるエアバッファのダイヤフラムの自由な動きを可能にする凹陥部が設けられていることを特徴とする輝尽性蛍光体プレートの梱包構造。
【請求項７】
請求項１〜６のいずれかにおいて、前記防湿袋は輝尽性蛍光体プレートとインナーパッドを収容後負圧状態にして封止されていることを特徴とする輝尽性蛍光体プレートの梱包構造。
【請求項８】
請求項１〜７のいずれかにおいて、前記アウターパッドは、インナーパッドによって保持されていない輝尽性蛍光体プレートの前面及び後面を防湿袋の外方から保持するアウターフロントパッド及びアウターバックパッドと、インナーパッドによって保持されている部位の輝尽性蛍光体プレートの上面に防湿袋の外方から保持する左右のアウターオーバーパッドと、左右のアウターオーバーパッド及びインナーパッドの外側端面を防湿袋の外方から保持する２つのアウターサイドパッドから構成されることを特徴とする輝尽性蛍光体プレートの梱包構造。
【請求項９】
請求項１〜８のいずれかにおいて、前記アウターパッドによって保持された防湿袋に収容された輝尽性蛍光体プレート及びインナーパッドは、折り畳むことによって箱状に組み立てられる内箱内に収容されるものであり、内箱に接着されていないアウターパッドと、アウターパッドによって保持されている防湿袋内の輝尽性蛍光体プレート及びインナーパッドとが内箱を組み立てることによって同時に位置決めされることを特徴とする輝尽性蛍光体プレートの梱包構造。
【請求項１０】
請求項１〜９のいずれかにおいて、前記アウターパッドは、輝尽性蛍光体プレート及びインナーパッドが収容された防湿袋の四隅には設けられていないことを特徴とする輝尽性蛍光体プレートの梱包構造。
【請求項１１】
請求項１〜１０のいずれかにおいて、前記アウターパッドの上面は、輝尽性蛍光体プレート及びインナーパッドが収容された防湿袋の上面よりも高くなっており、上方から掛かる衝撃荷重及び圧縮荷重は、アウターパッドの上面に作用し、輝尽性蛍光体プレートに対しては支持基板の周縁部のみに集中して作用することを特徴とする輝尽性蛍光体プレートの梱包構造。
【請求項１２】
請求項１１において、前記防湿袋の上面よりも高くなっているアウターパッドの内側に中空ロの字状の上面保護パッドがアウターパッドによって挟持された状態で設けられることを特徴とする輝尽性蛍光体プレートの梱包構造。
【請求項１３】
請求項９〜１２のいずれかにおいて、前記アウターパッド及び防湿袋によって密封された輝尽性蛍光体プレートとインナーパッドとが収容された内箱は、蓋部を除く本体部が当初から箱状に組み立てられている外箱内に収容可能であり、該外箱内には平面視略Ｌ字状の隅部補強パッドが配設されていることを特徴とする輝尽性蛍光体プレートの梱包構造。
【請求項１４】
支持基板の表面に輝尽性蛍光体層を形成すると共に、支持基板の外周部に取付基準プレートと取付バネ突起とを備える輝尽性蛍光体プレートの梱包方法において、
前記輝尽性蛍光体プレートをインナーパッドによって保持させた状態のまま防湿袋内に密封状態で収容し、輝尽性蛍光体プレートとインナーパッドとを収容した状態の防湿袋を更にアウターパッドによって保持するようにしたことを特徴とする輝尽性蛍光体プレートの梱包方法。
【請求項１５】
請求項１４において、前記輝尽性蛍光体プレートの梱包方法は、輝尽性蛍光体プレートにおける取付基準プレートと取付バネ突起の設置部位周辺にインナーパッドを取り付けるインナーパッド取付工程と、インナーパッドによって保持された状態の輝尽性蛍光体プレートをインナーパッドと一緒に防湿袋内に収容し、内部を負圧状態とする防湿袋パック工程と、内箱内に輝尽性蛍光体プレートとインナーパッドとがパック詰めされた防湿袋を載置し、その周囲にアウターパッドを設置するアウターパッド設置工程と、アウターパッド及び輝尽性蛍光体プレートとインナーパッドとがパック詰めされた防湿袋を、内箱を折り畳むことによって位置決めした状態で組み立てる内箱梱包工程と、上記梱包された内箱を底部に隅部補強パッドが配設された外箱内に収容し、内箱と外箱間の隙間にこれらの隙間を埋める補助パッドを必要に応じて装填した後、外箱の蓋部を閉塞し、最終的な梱包形態を得る外箱梱包工程とを備えていることを特徴とする輝尽性蛍光体プレートの梱包方法。
【請求項１６】
請求項１４または１５において、請求項１〜１３に記載の輝尽性蛍光体プレートの梱包構造を使用して梱包することによって実行されることを特徴とする輝尽性蛍光体プレートの梱包方法。
【発明の詳細な説明】
【技術分野】
【０００１】
本発明は、特に硬質基板タイプの輝尽性蛍光体プレートを梱包する場合に好適な遮光性、防湿性及び機械的強度に優れる輝尽性蛍光体プレートの梱包構造及び梱包方法に関する。
【背景技術】
【０００２】
従来から病気の診断にはＸ線等の放射線画像が広く使用されている。この場合、従来は被写体にＸ線等の放射線を照射し、被写体を透過したＸ線等を輝尽性の蛍光スクリーンに当て可視光として取り出し、これを銀塩フィルムに照射して現像し、アナログ写真として放射線画像を取り出すという手法が多く採られていた。
【０００３】
最近では、被写体を透過したＸ線等を輝尽性蛍光体シート（以下イメージングプレートとも言う）の輝尽性蛍光体層に当て被写体各部の放射線透過密度に対応する放射線エネルギーとして放射線画像を一時保存し、これを可視光あるいは赤外線等のレーザ光によってスキャンし、上記放射線エネルギーを輝尽発光させ、更に放出された光をデジタル方式の電気信号に変換して放射線画像として取り出すという手法が採られるようになってきている。
【０００４】
そして後者の場合には、得られた画像を比較的簡単に加工処理でき、例えば画像濃度やコントラストの変更、細かい線や点の強調、あるいは２つの画像を使用して行う画像間の加算減算等が可能である点が特徴になっている。また得られた放射線画像は、ＣＲＴモニタ上に映し出したり、光ディスク等の被記録媒体に保存したり、電話回線やその他のブロードバンド等を使用して離れた場所に瞬時に転送したり、デジタル現像機を使用してデジタル写真として出力する等、実に広範な利用分野を有している。
【０００５】
従って上記の特徴に鑑み、今後はイメージングプレートを使用した上記画像撮影システムが主流になると考えられ、その普及が病気の診断等の医療分野において拡大することが期待されている。このような画像撮影システムにおいて使用されているイメージングプレートには軟質シートタイプと、より頑強な硬質基板タイプとがあり、後者のタイプには例えば一辺４５０ｍｍ、厚さ１０ｍｍ程度の正方形平板状のアルミプレートを支持基板とし、アルミプレートの表面に輝尽性蛍光体層を塗工し、更にイメージングプレートを撮影装置等に精度良く取り付けるための取付基準プレートと取付バネ突起とが四隅に設けられているイメージングプレートが存在する。また一層の高画質が得られるよう輝尽性蛍光体層を蒸着によって形成し、形成された蒸着面を防湿性フィルムでシールし、アルミプレートにエアバッファを設けた蒸着型イメージングプレートも開発されており、近い時期に商品化される見通しとなっている。
【０００６】
このようにイメージングプレートには、種々の可能性があり、優れた効果が期待される反面、高価であり、湿気に弱く、精密部品ゆえにその取り扱いに慎重を期することが求められる等、特に輸送途中の梱包形態において改善すべき問題点が指摘されていた。そしてこのような問題点を解決し、一般の荷物と同じように取り扱うことができ、輸送時の安全性の高い輝尽性蛍光体プレート用包装体として特許文献１に示す包装体が既に開発されている。
【０００７】
しかしイメージングプレートは上述のように更に高精度でデリケートな蒸着型イメージングプレートへと今後移行して行くことが予想される現状を考えた場合には、更に取り扱いが簡単で、一層の防湿性が期待でき、機械的強度に優れる梱包形態の開発が望まれている。具体的には従来の梱包形態では防湿性が不完全なため、９０％ＲＨの最悪のケースで２〜３年間保管したような場合にはイメージングプレートの性能が悪化することが予想されている。この場合Ｘレイフィルム用のアルミニウム箔を含む銀ポリ袋にイメージングプレートを入れて封止すれば防湿性の改善が期待できる。また封止後の銀ポリ袋内に空気が存在すると銀ポリ袋の端部を折り曲げることが困難になり、緩衝材等で銀ポリ袋内に収容されたイメージングプレートを固定することも難しくなる。更に銀ポリ袋はピンホールや破れが生じ易く、イメージングプレートに設けられている取付基準プレートや取付バネ突起に当接した場合にはピンホールや破れの発生のおそれがある。
【０００８】
また蒸着型イメージングプレートの輝尽性蛍光体層は蒸着層であり、単に防湿性フィルムによってシールされているだけの構成であるから、特に高さ方向（＋Ｚ、−Ｚ方向）の機械的衝撃荷重が蒸着層の全面に掛かってしまい、蒸着層が損傷し易い構造となっている。またこのような蒸着型イメージングプレートを多数枚積み重ねて保管すると、上段の蒸着型イメージングプレート及び梱包材の重量が下段の蒸着型イメージングプレートに掛かり下段の蒸着型イメージングプレートの蒸着層を傷付けるおそれも懸念されている。また蒸着型イメージングプレートの場合には支持基板裏面にエアバッファのダイヤフラム（膜）があり、この部分に緩衝用のパッドが当たるとエアバッファのダイヤフラムが自由に膨らむことができなくなってしまってエアバッファとして機能しなくなってしまう。
【０００９】
【特許文献１】特開２００３−３１５５００号公報
【発明の開示】
【発明が解決しようとする課題】
【００１０】
従来の梱包形態及び梱包方法が有していた上記の問題点を考慮して、本発明は優れた防湿機能を有し、輝尽性蛍光体プレートの輝尽性蛍光体層を傷付けることなく、外部からの衝撃荷重に耐えられる機械的強度を備え、更に梱包及び開梱が容易に行え、分別廃棄性に優れる輝尽性蛍光体プレートの梱包構造及び梱包方法を提供することを課題とした。
【課題を解決するための手段】
【００１１】
本発明者は鋭意検討を重ねた結果、以下の構成を有する本発明の輝尽性蛍光体プレートの梱包構造及び梱包方法によれば上記の課題を解決し得ることを見い出した。
【００１２】
本発明の輝尽性蛍光体プレートの梱包構造は、支持基板の表面に輝尽性蛍光体層を形成すると共に、支持基板の外周部に取付基準プレートと取付バネ突起とを備える輝尽性蛍光体プレートの梱包構造において、上記取付基準プレートと取付バネ突起とを含む設置部位周辺の支持基板の側面及び下面を保持するインナーパッドと、該インナーパッドによって保持された状態の輝尽性蛍光体プレートとインナーパッドとを一緒に密封状態で収容する防湿袋と、少なくとも、インナーパッドによって保持されていない輝尽性蛍光体プレートの前面及び後面と、インナーパッドによって保持されている部位の輝尽性蛍光体プレートの上面とを防湿袋の外方から保持するアウターパッドとを備えていることを特徴とするものである（第１の態様）。
【００１３】
上記発明において、上記インナーパッドによって保持された状態の輝尽性蛍光体プレートは、インナーパッドを含めた幅寸法及び奥行寸法が輝尽性蛍光体プレート単体での幅寸法及び奥行寸法に比べてそれぞれ２０〜６０ｍｍ大きくなるように設定されていてもよい（第２の態様）。
【００１４】
また上記発明において、上記インナーパッドには上記取付基準プレートを受け入れる水平凹部と、上記取付バネ突起を受け入れる垂直凹部とが設けられており、取付基準プレートの前後の端縁と水平凹部の前後の内壁面との間には、３〜１０ｍｍの間隙が形成されていてもよい（第３の態様）。
【００１５】
また上記発明において、上記インナーパッドは上記取付基準プレートと取付バネ突起とを含む設置部位周辺の支持基板の下面を主に保護する２種類のインナーアンダーパッドと、取付基準プレートと取付バネ突起と含む設置部位周辺の支持基板の左右の側面を主に保持するインナーサイドパッドとを組み合わせることによって構成されていて、このうちインナーアンダーパッドはインナーサイドパッドよりも発泡倍率の大きい発泡樹脂によって形成されていてもよい（第４の態様）。例えば、インナーアンダーパッドは発泡倍率が２５倍の軟質の発泡ポリエチレン樹脂によって形成されており、インナーサイドパッドは発泡倍率が１５倍の硬質の発泡ポリエチレン樹脂によって形成されている態様を好ましい態様として挙げることができる。
【００１６】
また上記発明において、上記輝尽性蛍光体プレートは輝尽性蛍光体層が蒸着によって形成されており、該蒸着された輝尽性蛍光体層の表面を防湿性フィルムでシールすると共に、支持基板に対してエアバッファを備えた蒸着型イメージングプレートとすることも可能である（第５の態様）。
【００１７】
また上記発明において、上記インナーパッドには支持基板に対して設けられるエアバッファのダイヤフラムの自由な動きを可能にする凹陥部が設けられていてもよい（第６の態様）。
【００１８】
また上記発明において、上記防湿袋は輝尽性蛍光体プレートとインナーパッドを収容後負圧状態にして封止されていてもよい（第７の態様）。
【００１９】
また上記発明において、上記アウターパッドは、インナーパッドによって保持されていない輝尽性蛍光体プレートの前面及び後面を防湿袋の外方から保持するアウターフロントパッド及びアウターバックパッドと、インナーパッドによって保持されている部位の輝尽性蛍光体プレートの上面に防湿袋の外方から保持する左右のアウターオーバーパッドと、左右のアウターオーバーパッド及びインナーパッドの外側端面を防湿袋の外方から保持する２つのアウターサイドパッドとを備えていてもよい（第８の態様）。
【００２０】
また上記発明において、上記アウターパッドによって保持された防湿袋に収容された輝尽性蛍光体プレート及びインナーパッドは、折り畳むことによって箱状に組み立てられる内箱内に収容されるものであり、内箱に接着されていないアウターパッドと、アウターパッドによって保持されている防湿袋内の輝尽性蛍光体プレート及びインナーパッドとが内箱を組み立てることによって同時に位置決めされるようにしてもよい（第９の態様）。
【００２１】
また上記発明において、上記アウターパッドは、輝尽性蛍光体プレート及びインナーパッドが収容された防湿袋の四隅には設けられていないようにしてもよい（第１０の態様）。
【００２２】
また上記発明において、上記アウターパッドの上面は、輝尽性蛍光体プレート及びインナーパッドが収容された防湿袋の上面よりも高くなっており、上方から掛かる衝撃荷重及び圧縮荷重は、アウターパッドの上面に作用し、輝尽性蛍光体プレートに対しては支持基板の周縁部のみに集中して作用するようにしてもよい（第１１の態様）。
【００２３】
また上記発明において、上記防湿袋の上面よりも高くなっているアウターパッドの内側に中空ロの字状の上面保護パッドがアウターパッドによって挟持された状態で設けられていてもよい（第１２の態様）。
【００２４】
また上記発明において、上記アウターパッド及び防湿袋によって密封された輝尽性蛍光体プレートとインナーパッドとが収容された内箱は、蓋部を除く本体部が当初から箱状に組み立てられている外箱内に収容可能であり、該外箱内には平面視略Ｌ字状の隅部補強パッドが配設されていてもよい（第１３の態様）。
【００２５】
本発明の輝尽性蛍光体プレートの梱包方法は、支持基板の表面に輝尽性蛍光体層を形成すると共に、支持基板の外周部に取付基準プレートと取付バネ突起とを備える輝尽性蛍光体プレートの梱包方法において、上記輝尽性蛍光体プレートをインナーパッドによって保持させた状態のまま防湿袋内に密封状態で収容し、輝尽性蛍光体プレートとインナーパッドとを収容した状態の防湿袋を更にアウターパッドによって保持するようにしたことを特徴とするものである（第１４の態様）。
【００２６】
上記発明において、上記輝尽性蛍光体プレートの梱包方法は、輝尽性蛍光体プレートにおける取付基準プレートと取付バネ突起の設置部位周辺にインナーパッドを取り付けるインナーパッド取付工程と、インナーパッドによって保持された状態の輝尽性蛍光体プレートをインナーパッドと一緒に防湿袋内に収容し、内部を負圧状態とする防湿袋パック工程と、内箱内に輝尽性蛍光体プレートとインナーパッドとがパック詰めされた防湿袋を載置し、その周囲にアウターパッドを設置するアウターパッド設置工程と、アウターパッド及び輝尽性蛍光体プレートとインナーパッドとがパック詰めされた防湿袋を、内箱を折り畳むことによって位置決めした状態で組み立てる内箱梱包工程と、上記梱包された内箱を底部に隅部補強パッドが配設された外箱内に収容し、内箱と外箱間の隙間にこれらの隙間を埋める補助パッドを必要に応じて装填した後、外箱の蓋部を閉塞し、最終的な梱包形態を得る外箱梱包工程とを備えていてもよい（第１５の態様）。
【００２７】
また上記発明において、請求項１〜１３に記載の輝尽性蛍光体プレートの梱包構造を使用して梱包することによって実行されるようにしてもよい（第１６の態様）。
【発明の効果】
【００２８】
第１の態様によれば、輝尽性蛍光体プレートに作用する下方からの衝撃荷重と、奥行方向の衝撃荷重とがインナーパッドによって吸収される。また輝尽性蛍光体プレートは防湿袋内に密封状態で収容されることにより防湿性が向上する。またこの際、輝尽性蛍光体プレートはインナーパッドによって保持された状態で防湿袋内に収容されているから、防湿袋にピンホールや破れは発生し難い構造になっている。また輝尽性蛍光体プレートとインナーパッドと防湿袋とを一体化したことにより、輝尽性蛍光体プレートの出し入れ作業が容易になり、コンパクトなサイズの梱包構造とすることができる。またアウターパッドの併用により機械的強度が向上し、上方からの衝撃荷重と幅方向の衝撃荷重にも対応できるようになっている。
【００２９】
第２の態様によれば、梱包された状態の輝尽性蛍光体プレートを落下させたような大きな衝撃荷重が掛かった場合でもインナーパッドの存在により輝尽性蛍光体プレートは底突きし難く、防湿袋が外部の突起や取付基準プレートあるいは取付バネ突起に当たって防湿袋にピンホールや破れが発生することは起こり難い。
【００３０】
第３の態様によれば、梱包された状態の輝尽性蛍光体プレートを落下させたような大きな衝撃荷重が掛かった場合でも、水平凹部及び垂直凹部に形成されている間隙の存在により取付基準プレートや取付バネ突起には該衝撃荷重は直接掛からないから、取付基準プレートと取付バネ突起は破損することなく所定の精度が維持される。
【００３１】
第４の態様によれば、幅方向及び奥行方向の衝撃荷重に対しては比較的硬質のインナーサイドパッドが狭い面積に作用するため、変形量が少なく、過大なパッドの変形によって生ずる輝尽性蛍光体プレートの底突きが防止される。また高さ方向の衝撃荷重に対しては比較的軟質のインナーアンダーパッドが作用するため、大きな受圧面積を有するインナーアンダーパッドの柔軟な圧縮変形によって輝尽性蛍光体プレートに掛かる最大加速度を減少させて、該衝撃荷重を吸収することができる。
【００３２】
第５の態様によれば、湿気に弱くデリケートな蒸着型イメージングプレートの防湿性と機械的強度を向上させることが可能となり、高画質の撮影画像を得ることのできる蒸着型イメージングプレートを取り扱いに注意することなく使用できるようになる。
【００３３】
第６の態様によれば、エアバッファのダイヤフラムの動きが束縛されることなく、自由に動くことができるようになるから、防湿性フィルム内外の圧力差が調整できるようになる。
【００３４】
第７の態様によれば、輝尽性蛍光体プレートとインナーパッドとが防湿袋と共に一体化するから、インナーパッドによる輝尽性蛍光体プレートの保持状態が安定する。また防湿袋内部を負圧状態にすることにより防湿袋が折り曲げ易くなるから、防湿袋の端部等を折り曲げて収容することが可能となる。
【００３５】
第８の態様によれば、幅方向及び奥行方向の衝撃荷重と上方からの衝撃荷重に対する衝撃吸収力が向上し、更に一層の機械的強度の向上を図ることができる。
【００３６】
第９の態様によれば、内箱を斜めにして落下させ、内箱の角部に衝撃荷重を掛ける最も過酷な角落下にも対応できる機械的強度が確保される。また内箱は展開状態のものを使用し、組み立てるようにしたから梱包、開梱作業が容易であり、防湿袋を傷めるおそれもない。またアウターパッドは内箱に接着されていないから廃棄時の分別作業が容易に行われる。
【００３７】
第１０の態様によれば、防湿袋の端部が折り曲げ易くなり、防湿袋の四隅に衝撃荷重が作用した場合の衝撃荷重の伝搬が防止されるから、これに起因する防湿袋のピンホールや破れは生じ難くなっている。
【００３８】
第１１の態様によれば、上方からの衝撃荷重は輝尽性蛍光体層には直接作用しないように構成されているから、該衝撃荷重によって輝尽性蛍光体層が損傷することは起こり難くなっている。
【００３９】
第１２の態様によれば、上方からの衝撃荷重に対する機械的強度が更に向上するから、該衝撃荷重によって生ずる輝尽性蛍光体層の損傷は一層起こり難くなっている。
【００４０】
第１３の態様によれば、外箱を大量に積み上げたような場合でも直接輝尽性蛍光体プレートには荷重が掛からない構造になっているから、梱包構造としての機械的強度の一層の向上が図られる。
【００４１】
第１４の態様によれば、インナーパッドとアウターパッドの併用により梱包構造としての機械的強度が向上し輝尽性蛍光体プレートに作用する衝撃荷重が吸収される。また輝尽性蛍光体プレートは防湿袋内に密封状態で収容されているから高い防湿性が保たれている。またこの際、輝尽性蛍光体プレートはインナーパッドによって保持された状態で防湿袋内に収容されているから、防湿袋にピンホールや破れは発生し難い構造になっている。また輝尽性蛍光体プレートとインナーパッドと防湿袋とを一体化したことにより、輝尽性蛍光体プレートの出し入れ作業が容易になり、コンパクトに梱包できるようになる。
【００４２】
第１５の態様によれば、第１４の態様による効果に加えて、内箱と外箱の採用により梱包構造の機械的強度が更に向上し、展開状態の内箱を使用し、組み立てるようにしたから梱包、開梱作業が容易になり、廃棄時の分別作業も容易になる。
【００４３】
第１６の態様によれば、輝尽性蛍光体プレートの防湿性の向上と、梱包構造の機械的強度及び取扱性が向上し、高画質の撮影画像が得られる蒸着型イメージングプレートにも対応できるようになる。
【発明を実施するための最良の形態】
【００４４】
以下、本発明の輝尽性蛍光体プレートの梱包構造及び梱包方法について、図面を参照しながら詳細に説明する。図１は本発明の適用対象である輝尽性蛍光体プレートを示す平面図、図２は本発明に係る梱包構造における左右一対のインナーパッドを示す分解斜視図である。図３はインナーパッドを取り付けた状態の輝尽性蛍光体プレートの要部を拡大して示す斜視図、図４は展開状態の内箱を示す斜視図である。図５は防湿袋内にパック詰めされたインナーパッドと輝尽性蛍光体プレートを載置し、その周囲にアウターパッドを設置して行く設置途中の状態を示す斜視図、図６はアウターパッドの設置完了後の状態を示す斜視図である。図７は組み立てた内箱の斜視図、図８は組み立てた内箱を外箱内に収容する収容途中の状態を示す分解斜視図である。また図９は内箱を外箱内に収容した状態を示す斜視図である。
【００４５】
尚、本明細書において使用する「幅方向」とは図５中の＋Ｘ、−Ｘ方向、「奥行方向」とは図５中の＋Ｙ、−Ｙ方向、「高さ方向」とは図５中の＋Ｚ、−Ｚ方向を意味するものとする。また「上方」は＋Ｚ方向、「下方」は−Ｚ方向、「前方」は＋Ｙ方向、「後方」は−Ｙ方向、「右方」は−Ｘ方向、「左方」は＋Ｘ方向をそれぞれ示すものとする。
【００４６】
最初に本発明の適用対象である輝尽性蛍光体プレート３について説明する。輝尽性蛍光体プレート３はイメージングプレート３（輝尽性蛍光体プレートと同一の符号「３」を使用する）とも呼ばれ、被写体にＸ線等の放射線を照射し、被写体を透過したＸ線等をイメージングプレート３の表面に形成されている輝尽性蛍光体層５に当て被写体各部の放射線透過密度に対応する放射線エネルギーとして放射線画像を一時保存するのに使用される部材である。そしてイメージングプレート３に一時保存された放射線画像は可視光あるいは赤外線等のレーザ光によってスキャンされ、放射線エネルギーを輝尽発光させて放出された光をデジタル方式の電気信号に交換して放射線画像として取り出し、デジタル写真等に出力される。
【００４７】
またイメージングプレート３は、図１に示す如く一例として一辺４５０ｍｍ、厚さ１０ｍｍ程度の正方形平板状のアルミプレート等を支持基板７とし、支持基板７の表面に上記輝尽性蛍光体層５を形成すると共に、支持基板７の外周部の左端部と右端部にはイメージングプレート３を撮影装置等に精度良く取り付けるための取付基準プレート９と取付バネ突起１１とが各２個ずつ設けられている。またイメージングプレート３における輝尽性蛍光体層５は塗工によって形成されるものと蒸着によって形成されるものがあって、特に後者のものは蒸着型イメージングプレート１３と呼ばれ前者のものと識別されている。
【００４８】
蒸着型イメージングプレート１３は、高画質の鮮明な画像が得られる点で一般のイメージングプレート３より優れているが、高価であり、湿気に弱く、精密部品ゆえにその取り扱いに慎重を期することが求められる等、取り扱いの不便さも兼ね備えている。また蒸着型イメージングプレート１３には、蒸着された輝尽性蛍光体層５をシールする図示しない防湿性フィルムと、防湿性フィルム内外の圧力差の調整を可能とする図示しないエアバッファとが設けられている。そして本発明の輝尽性蛍光体プレートの梱包構造１及び梱包方法は通常のイメージングプレート３に加えて、このような蒸着型イメージングプレート１３にも対応できる構成になっている。
【００４９】
本発明は、基本的な構成を有する上記の輝尽性蛍光体プレートだけでなく、これに当業者に自明な種々の追加や改変を加えたものものにも適用することができる。例えば、蛍光体層の周囲を囲むように支持基板面上に形成された枠（上下面が開放された四角柱状の枠など）を有していて、該枠の上面と蛍光体層の上面に接着層を介して形成された防湿性フィルムによって蛍光体層が防湿されるように構成されているものや、支持基板と蛍光体層の間に輝尽発光光を反射するための反射膜が形成されたものや、該反射膜上に反射膜を保護するためのバリア膜等が形成されたものを挙げることができる。枠は、支持基板との熱膨張差が１×１０-6／℃以下の材料で構成されていることが好ましく、支持基板と同一材料で構成されているものがより好ましい。これにより、輝尽性蛍光体プレートの温度が変化した場合の熱膨張率差による変形を低減でき、画像ムラを防ぐことができる。また、部材を接着するための接着剤には、エポキシ樹脂などの耐熱性接着剤を用いることが好ましい。
【００５０】
支持基板の材質は特に限定されないが、例えば、セルロースアセテートフィルム、ポリエステルフィルム、ポリエチレンテレフタレートフィルム、ポリアミドフィルム、ポリイミドフィルム、トリアセテートフィルム、ポリカーボネートフィルムなどのプラスチックフィルム；石英ガラス、無アルカリガラス、ソーダガラス、耐熱ガラス（パイレックスTM(登録商標)等）などから形成されるガラス板；アルミニウムシート、鉄シート、銅シート、クロムシートなどの金属シートあるいは金属酸化物の被覆層を有する金属シート等が挙げられる。
【００５１】
蛍光体層を形成する輝尽性蛍光体としては、各種のものが利用可能である。好ましいものとして、下記の輝尽性蛍光体を例示することができる。
米国特許第３，８５９，５２７号明細書に記載されている輝尽性蛍光体である、「ＳｒＳ：Ｃｅ，Ｓｍ」、「ＳｒＳ：Ｅｕ，Ｓｍ」、「ＴｈＯ2：Ｅｒ」、および、「Ｌａ2Ｏ2Ｓ：Ｅｕ，Ｓｍ」。
【００５２】
特開昭５５−１２１４２号公報に開示される、「ＺｎＳ：Ｃｕ，Ｐｂ」、「ＢａＯ・ｘＡｌ2Ｏ3：Ｅｕ（但し、０．８≦ｘ≦１０）」、および、一般式「ＭIIＯ・ｘＳｉＯ2：Ａ」で示される輝尽性蛍光体。
（上記式において、ＭIIは、Ｍｇ，Ｃａ，Ｓｒ，Ｚｎ，ＣｄおよびＢａからなる群より選択される少なくとも一種であり、Ａは、Ｃｅ，Ｔｂ，Ｅｕ，Ｔｍ，Ｐｂ，Ｔｌ，ＢｉおよびＭｎからなる群より選択される少なくとも一種である。また、０．５≦ｘ≦２．５である。）
【００５３】
特開昭５５−１２１４４号公報に開示される、一般式「ＬｎＯＸ：ｘＡ」で示される輝尽性蛍光体。
（上記式において、Ｌｎは、Ｌａ，Ｙ，ＧｄおよびＬｕからなる群より選択される少なくとも一種であり、Ｘは、ＣｌおよびＢｒの少なくとも一種であり、Ａは、ＣｅおよびＴｂの少なくとも一種である。また、０≦ｘ≦０．１である。）
【００５４】
特開昭５５−１２１４５号公報に開示される、一般式「（Ｂａ1-x，Ｍ2+x）ＦＸ：ｙＡ」で示される輝尽性蛍光体。
（上記式において、Ｍ2+は、Ｍｇ，Ｃａ，Ｓｒ，ＺｎおよびＣｄからなる群より選択される少なくとも一種であり、Ｘは、Ｃｌ，ＢｒおよびＩからなる群より選択される少なくとも一種であり、Ａは、Ｅｕ，Ｔｂ，Ｃｅ，Ｔｍ，Ｄｙ，Ｐｒ，Ｈｏ，Ｎｄ，ＹｂおよびＥｒからなる群より選択される少なくとも一種である。また、０≦ｘ≦０．６であり、０≦ｙ≦０．２である。）
【００５５】
特開昭５７−１４８２８５号公報に開示される、下記のいずれかの輝尽性蛍光体。
すなわち、一般式「ｘＭ3（ＰＯ4）2・ＮＸ2：ｙＡ」または「Ｍ3（ＰＯ4）2・ｙＡ」で示される輝尽性蛍光体；
（上記式において、ＭおよびＮは、それぞれ、Ｍｇ，Ｃａ，Ｓｒ，Ｂａ，ＺｎおよびＣｄからなる群より選択される少なくとも一種であり、Ｘは、Ｆ，Ｃｌ，ＢｒおよびＩからなる群より選択される少なくとも一種であり、Ａは、Ｅｕ，Ｔｂ，Ｃｅ，Ｔｍ，Ｄｙ，Ｐｒ，Ｈｏ，Ｎｄ，Ｙｂ，Ｅｒ，Ｓｂ，Ｔｌ，ＭｎおよびＳｎからなる群より選択される少なくとも一種である。また、０≦ｘ≦６、０≦ｙ≦１である。）
【００５６】
一般式「ｎＲｅＸ3・ｍＡＸ'2：ｘＥｕ」または「ｎＲｅＸ3・ｍＡＸ'2：ｘＥｕ，ｙＳｍ」で示される輝尽性蛍光体；
（上記式において、Ｒｅは、Ｌａ，Ｇｄ，ＹおよびＬｕからなる群より選択される少なくとも一種であり、Ａは、Ｂａ，ＳｒおよびＣａからなる群より選択される少なくとも一種であり、ＸおよびＸ'は、それぞれ、Ｆ，Ｃｌ，およびＢｒからなる群より選択される少なくとも一種である。また、１×１０-4＜ｘ＜３×１０-1であり、１×１０-4＜ｙ＜１×１０-1であり、さらに、１×１０-3＜ｎ／ｍ＜７×１０-1である。）
【００５７】
および、一般式「ＭIＸ・ａＭIIＸ'2・ｂＭIIIＸ''3：ｃＡ」で示されるアルカリハライド系輝尽性蛍光体。
（上記式において、ＭI は、Ｌｉ，Ｎａ，Ｋ，ＲｂおよびＣｓからなる群より選択される少なくとも一種であり、ＭIIは、Ｂｅ，Ｍｇ，Ｃａ，Ｓｒ，Ｂａ，Ｚｎ，Ｃｄ，ＣｕおよびＮｉからなる群より選択される少なくとも一種の二価の金属であり、ＭIIIは、Ｓｃ，Ｙ，Ｌａ，Ｃｅ，Ｐｒ，Ｎｄ，Ｐｍ，Ｓｍ，Ｅｕ，Ｇｄ，Ｔｂ，Ｄｙ，Ｈｏ，Ｅｒ，Ｔｍ，Ｙｂ，Ｌｕ，Ａｌ，ＧａおよびＩｎからなる群より選択される少なくとも一種の三価の金属であり、Ｘ、Ｘ'およびＸ''は、Ｆ，Ｃｌ，ＢｒおよびＩからなる群より選択される少なくとも一種であり、Ａは、Ｅｕ，Ｔｂ，Ｃｅ，Ｔｍ，Ｄｙ，Ｐｒ，Ｈｏ，Ｎｄ，Ｙｂ，Ｅｒ，Ｇｄ，Ｌｕ，Ｓｍ，Ｙ，Ｔｌ，Ｎａ，Ａｇ，Ｃｕ，ＢｉおよびＭｇからなる群より選択される少なくとも一種である。また、０≦ａ＜０．５であり、０≦ｂ＜０．５であり、０≦ｃ＜０．２である。）
【００５８】
特開昭５６−１１６７７７号公報に開示される、一般式「（Ｂａ1-X，ＭIIX）Ｆ2・ａＢａＸ2：ｙＥｕ，ｚＡ」で示される輝尽性蛍光体。
（上記式において、ＭIIは、Ｂｅ，Ｍｇ，Ｃａ，Ｓｒ，ＺｎおよびＣｄからなる群より選択される少なくとも一種であり、Ｘは、Ｃｌ，ＢｒおよびＩからなる群より選択される少なくとも一種であり、Ａは、ＺｒおよびＳｃの少なくとも一種である。また、０．５≦ａ≦１．２５であり、０≦ｘ≦１であり、１×１０-6≦ｙ≦２×１０-1であり、０＜ｚ≦１×１０-2である。）
【００５９】
特開昭５８−６９２８１号公報に開示される、一般式「ＭIIIＯＸ：ｘＣｅ」で示される輝尽性蛍光体。
（上記式において、ＭIIIは、Ｐｒ，Ｎｄ，Ｐｍ，Ｓｍ，Ｅｕ，Ｔｂ，Ｄｙ，Ｈｏ，Ｅｒ，Ｔｍ，ＹｂおよびＢｉからなる群より選択される少なくとも一種の三価の金属であり、Ｘは、ＣｌおよびＢｒの少なくとも一種である。また、０≦ｘ≦０．１である。）
【００６０】
特開昭５８−２０６６７８号公報に開示される、一般式「Ｂａ1-xＭaＬaＦＸ：ｙＥｕ2+」で示される輝尽性蛍光体。
（上記式において、Ｍは、Ｌｉ，Ｎａ，Ｋ，ＲｂおよびＣｓからなる群より選択される少なくとも一種であり、Ｌは、Ｓｃ，Ｙ，Ｌａ，Ｃｅ，Ｐｒ，Ｎｄ，Ｐｍ，Ｓｍ，Ｇｄ，Ｔｂ，Ｔｂ，Ｄｙ，Ｈｏ，Ｅｒ，Ｔｍ，Ｙｂ，Ｌｕ，Ａｌ，Ｇａ，ＩｎおよびＴｌからなる群より選択される少なくとも一種の三価の金属であり、Ｘは、Ｃｌ，ＢｒおよびＩからなる群より選択される少なくとも一種である。また、１×１０-2≦ｘ≦０．５であり、０≦ｙ≦０．１であり、さらに、ａはｘ／２である。）
【００６１】
特開平５９−７５２００号公報に開示される、一般式「ＭIIＦＸ・ａＭIＸ'・ｂＭ'IIＸ''2・ｃＭIIIＸ3・ｘＡ：ｙＥｕ2+」で示される輝尽性蛍光体。
（上記式において、ＭIIは、Ｂａ，ＳｒおよびＣａからなる群より選択される少なくとも１種であり、ＭIは、Ｌｉ，Ｎａ，Ｋ，ＲｂおよびＣｓからなる群より選択される少なくとも一種であり、Ｍ'IIは、ＢｅおよびＭｇの少なくとも一方の二価の金属であり、ＭIIIは、Ａｌ，Ｇａ，Ｉｎ、およびＴｌからなる群より選択される少なくとも一種の三価の金属であり、Ａは、金属酸化物であり、Ｘ、Ｘ'およびＸ''は、それぞれ、Ｆ，Ｃｌ，Ｂｒ，およびＩからなる群より選択される少なくとも一種である。また、０≦ａ≦２であり、０≦ｂ≦１×１０-2であり、０≦ｃ≦１×１０-2であり、かつ、ａ＋ｂ＋ｃ≧１０-6であり、さらに、０＜ｘ≦０．５であり、０＜ｙ≦０．２である。）
【００６２】
特開昭５７−１４８２８５号公報に開示されるアルカリハライド系輝尽性蛍光体は、優れた輝尽発光特性を有するため特に好ましい。中でも、ＭIが少なくともＣｓを含み、Ｘが少なくともＢｒを含み、さらに、ＡがＥｕまたはＢｉであるアルカリハライド系輝尽性蛍光体が好ましく、その中でも特に、一般式「ＣｓＢｒ：Ｅｕ」で示される輝尽性蛍光体が好ましい。
【００６３】
これらの輝尽性蛍光体からなる蛍光体層の形成方法は特に限定されず、真空蒸着、スパッタリング、ＣＶＤ（Chemical Vapor Deposition)等の各種の真空成膜法で得られるものが利用可能である。中でも、生産性等の点で真空蒸着により形成された蛍光体層が好ましく、特に、蛍光体成分の材料と、付活剤（賦活剤：activator)成分の材料とを別々に加熱蒸発させる、多元の真空蒸着により形成された蛍光体層が好ましい。例えば、前記「ＣｓＢｒ：Ｅｕ」の蛍光体層であれば、蛍光体成分の材料として臭化セシウム（ＣｓＢｒ）を、付活剤成分の材料として臭化ユーロピウム（ＥｕＢｒx（ｘは、通常、２〜３））を、それぞれ用いて、別々に加熱蒸発させる、多元の真空蒸着により形成されることが好ましい。真空蒸着における加熱方法にも、特に限定はなく、例えば、電子銃等を用いる電子線加熱、または、抵抗加熱で形成されたものでもよい。さらに、多元の真空蒸着による形成される場合には、全ての材料を同様の同じ加熱手段（例えば、電子線加熱）で加熱蒸発してもよく、あるいは、蛍光体成分の材料は電子線加熱で、微量である付活剤成分の材料は抵抗加熱で、それぞれ加熱蒸発して形成されてもよい。
【００６４】
本発明の輝尽性蛍光体プレートの梱包構造１は、取付基準プレート９と取付バネ突起１１を含む設置部位周辺の支持基板７の下面及び左右の側面を保持するインナーパッド１５と、インナーパッド１５によって保持された状態のイメージングプレート３または蒸着型イメージングプレート１３（以下これら２タイプのイメージングプレートを総称して使用する場合にはイメージングプレート３の語を使用する）をインナーパッド１５と一緒に密封状態で収容する防湿袋１７と、防湿袋１７の外方から少なくともインナーパッド１５によって保持されていないイメージングプレート３の前面及び後面と、インナーパッド１５によって保持されている部位のイメージングプレート３の上面を保持するアウターパッド１９とを備えている。
【００６５】
インナーパッド１５は取付基準プレート９と取付バネ突起１１を含む設置部位周辺の支持基板７における左端側及び右端側の下面を主に保持する２種類のインナーアンダーパッド２１、２３と、取付基準プレート９と取付バネ突起１１を含む設置部位周辺の支持基板７の左側面を主に保持するインナーレフトパッド２５と、同支持基板７の右側面を主に保持するインナーライトパッド２７とを組み合わせることによって構成されている。インナーレフトパッド２５とインナーライトパッド２７とはインナーサイドパッドを構成する。
【００６６】
また左右のインナーアンダーパッド２１、２３は共に熱融着によって貼り合わされる上層２９と下層３１の二層構造になっていて、一例として上層２９は厚さ２０ｍｍ、下層３１はこれより薄く厚さ１０ｍｍで、共に発泡倍率が２５倍程度と比較的高く軟質の発泡ポリエチレン樹脂によって形成されている。尚、上層２９と下層３１は内側２ヶ所の角稜部が面取りされた平板状部材であり、上層２９には取付バネ突起１１を受け入れる垂直凹部３３が２個設けられている。また一例として左側のインナーアンダーパッド２１には矩形状に切り欠かれた凹陥部３５が設けられており、図示しないエアバッファのダイヤフラムの自由な動きを確保している。
【００６７】
一方、インナーレフトパッド２５とインナーライトパッド２７は、左右対称に形成されており、それぞれ短寸パッド片３７と長寸パッド片３９の２本のパッド片を組み合わせることによって構成されている。短寸パッド片３７は、短寸の角棒状の部材でインナーアンダーパッド２１、２３の外方後端寄りの上面に熱融着されている。また長寸パッド片３９は、幅寸法が中間部位で内側に張り出して大きくなっている長寸の角棒状の部材で上記短寸パッド片３７から多少離れた手前側の位置のインナーアンダーパッド２１、２３の上面に熱融着されている。また短寸パッド片３７と長寸パッド片３９は、一例として厚さが１５ｍｍで発泡倍率が１５倍程度と比較的低く硬質の発泡ポリエチレン樹脂によって形成されている。
【００６８】
また短寸パッド片３７と長寸パッド片３９との間に形成されている空間が取付基準プレート９を受け入れる水平凹部４１になっている。尚、取付基準プレート９の前後の端縁と水平凹部４１の前後の内壁面（短寸パッド片３７の前端面と長寸パッド片３９の後端面）との間には一例として３〜１０ｍｍの間隙Ｓが形成されている。同様に取付バネ突起１１の下端と垂直凹部３３の底面（下層３１の上面となる）との間にも一例として３〜１０ｍｍの間隙Ｓが形成されるようにしてもよい。またこのようなインナーパッド１５によって保持された状態のイメージングプレート３は、インナーパッド１５を含めた幅寸法及び奥行寸法がイメージングプレート３単体での幅寸法及び奥行寸法に比べて一例として２０〜６０ｍｍ大きくなるように設定されている。
【００６９】
防湿袋１７としては、高い防湿性を有し、ピンホールや破れの生じ難い材料（透湿度の目安として１日０.１ｇ／ｍ2以下、好ましくは１日０.０１ｇ／ｍ2以下の材料）が適用でき、例えばＸレイフィルム用のアルミ箔を含んだ銀ポリ袋が使用でき、アンカーコートやドライラミネート層を除く層構成としてはＰＥＴ（１２μｍ）、ＥＸＰＥ（１２μｍ）、Ａｌ箔（９μｍ）、ＮＹ（１５μｍ）、ＬＬＤＰＥ（６０μｍ）のものが一例として使用できる。そして防湿袋１７はイメージングプレート３とインナーパッド１５とを収容後負圧状態にして封止され、イメージングプレート３及びインナーパッド１５と一体化される。
【００７０】
アウターパッド１９は、インナーパッド１５によって保持されていないイメージングプレート３の前面及び後面を防湿袋１７の外方から保持するアウターフロントパッド４３及びアウターバックパッド４５と、インナーパッド１５によって保持されている部位のイメージングプレート３の上面に防湿袋１７の外方から保持する左右のアウターオーバーパッド４７、４９と、左右のアウターオーバーパッド４７、４９及びインナーパッド１５の外側端面を防湿袋１７の外方から保持する２つのアウターサイドパッド５１、５３とを備えることによって構成されている。
【００７１】
アウターフロントパッド４３とアウターバックパッド４５は、同一形状をしたパッドであり、一例として厚さ３０ｍｍで発泡倍率が１５倍程度と比較的低く硬質の発泡ポリエチレン樹脂によって形成されている。またアウターフロントパッド４３とアウターバックパッド４５とは、矩形平板状のパッドにおける上部２ヶ所の角稜部を段差状に切り落とした形状を有しており、段差部にアウターオーバーパッド４７、４９の一部が係合する構造になっている。
４７および４９の基底側で１７に接する部分は、衝撃で１７が破れることを防ぐために１ｍｍから３ｍｍ程度の小さなＲ面やＣ面が取られていることが好ましい。
【００７２】
アウターオーバーパッド４７、４９は矩形平板状をした同一形状のパッドであり、一例として厚さ３０ｍｍで発泡倍率が２５倍程度と比較的高く軟質の発泡ポリエチレン樹脂によって形成されている。またアウターサイドパッド５１、５３は断面Ｌ字状をした同一形状のパッドであり、上記アウターオーバーパッド４７、４９の外側端面に接着または熱融着される延長オーバーパッド５５と、延長オーバーパッド５５の外方寄りの下面に接着または熱融着される脚部パッド５７とをそれぞれ備えることによって構成されている。
【００７３】
尚、延長オーバーパッド５５はアウターオーバーパッド４７、４９より短寸の矩形平板状をしたパッドであり、一例として厚さ３０ｍｍで発泡倍率が２５倍程度と比較的高く軟質の発泡ポリエチレン樹脂によって形成されている。また脚部パッド５７は、上記延長オーバーパッド５５と同一長さの角棒状のパッドであり、一例として厚さ４０ｍｍ、高さ４５ｍｍで発泡倍率が１５倍程度と比較的低く硬質の発泡ポリエチレン樹脂によって形成されている。従って左側のアウターオーバーパッド４７は左側のアウターサイドパッド５１と、右側のアウターオーバーパッド４９は右側のアウターサイドパッド５３とそれぞれ一体の部材として取り扱えるようになっている。
【００７４】
また上記アウターパッド１９は、イメージングプレート３及びインナーパッド１５が収容された防湿袋１７の四隅には設けられていない。これは防湿袋１７の四隅の端部を折り曲げ易くし、防湿袋１７にピンホールや破れが発生し難くするために採られる構成である。またアウターパッド１９によって保持されて防湿袋１７に収容されたイメージングプレート３とインナーパッド１５は、図５に示す如く当初は展開状態をしており、折り畳むことによって箱状に組み立てられる内箱５９内に収容される。
【００７５】
内箱５９は、一例としてＡＢフルート段ボールＫ７ライナ／ＳＰＣ１２０／Ｋ７ライナ（Ｋ７ライナ≒２８０ｇ／ｍ2）によって形成されており、図４に示す如く、矩形平板状の底板６１と、谷折れ線６３を介して底板６１に接続される４枚の側板６５と、谷折れ線６３を介して側板６５に接続されそれぞれ対向する位置に設けられる２枚の天板６７及び２枚の中折れ板６９と、中折れ板６９が接続されている側板６５の長手方向の両端辺に谷折れ線６３を形成して接続される４枚の中折れフラップ７１とを備えることによって構成されている。そして図５〜図７に示す如く、内箱５９の底板６１上にイメージングプレート３とインナーパッド１５とがパック詰めされた防湿袋１７と、アウターパッド１９とを載置し、上記側板６５、天板６７、中折れ板６９及び中折れフラップ７１を谷折れ線６３を案内として折り畳むことによって内箱５９は組み立てられる。尚、この時、内箱５９に接着されていないアウターパッド１９と、防湿袋１７内にパック詰めされたイメージングプレート３及びインナーパッド１５は、同時に位置決めされ、固定されるようになっている。
【００７６】
また図６に示す如く、アウターパッド１９の上面は、イメージングプレート３及びインナーパッド１５がパック詰めされた防湿袋１７の上面よりも高くなっており、上方から掛かる衝撃荷重及び圧縮荷重は、アウターパッド１９の上面に作用し、イメージングプレート３に対しては支持基板７の周縁部のみに集中して作用するようになっている。また内箱５９内には、底板６１と略同等の大きさの中空ロの字状の上面保護パッド（例えば、４辺の断面が幅２０〜５０ｍｍ、厚さ１０〜３０ｍｍ）が必要に応じてアウターパッド１９上に載置される。このとき、内箱５９の側板６５を上面保護パッドの厚み分だけ高くする。こうすることによって、上方からの荷重が、天板６７から直接アウターオーバーパッド４７，４９を介してイメージングプレート３入り防湿袋１７にかかることを防ぐことができる。また別の態様として、上面保護パッドは、アウターフロント／バックパッド４３，４５と延長オーバーパッド５５を高くして、アウターオーバーパッド４７，４９と天板６７との間に空隙を設けて、その空隙に設置することもできる。
【００７７】
また図７に示す如く箱状に組み立てられた内箱５９は粘着テープＴによって、一例として接合される２枚の天板６７の端縁付近とこれと直交する２方向においてテープ止めされる。そしてテープ止めされ梱包状態となった内箱５９は更に図８に示す如く、外箱７５内に収容される。また外箱７５内には内箱５９の少なくとも底部側の四隅を外箱７５の底面から持ち上げた状態で保持する隅部補強パッド７７が配設されている。
【００７８】
外箱７５は蓋部７９を除く本体部８１が当初から箱状に組み立てられており、内箱５９と同様、一例としてＡフルート段ボールＫ５ライナ／ＳＰＣ１２０／ＳＰＣ１２０／ＳＰＣ１２０／Ｋ５ライナ（Ｋ５ライナ≒２００ｇ／ｍ2）によって形成されている。また隅部補強パッド７７は、平面視略Ｌ字状をしたパッドで内壁面には内箱５９の底面に接して内箱５９を支える段差部８３が係止されており、一例として発泡倍率が１５倍程度と比較的低く硬質の発泡ポリエチレン樹脂によって形成されている。なお、段差部８３が形成されていない隅部補強パッドを使用して、内箱の底部が外箱の底面に接するように設置することもできる。この他、図９に示す如く、内箱５９と外箱７５との間の隙間を埋めるために挿入される補助パッド８５等が必要に応じて設けられ、外箱７５の蓋部７９を閉塞することによって最終的な梱包形態である本発明の輝尽性蛍光体プレートの梱包構造１が得られる。尚、補助パッド８５等の材料としては、一例として発泡倍率が２５倍程度と比較的高く軟質の発泡ポリエチレン樹脂が適用できる。
【００７９】
次に本発明の梱包構造１を使用した本発明の輝尽性蛍光体プレートの梱包方法について説明する。本発明の輝尽性蛍光体プレートの梱包方法は、イメージングプレート３をインナーパッド１５によって保持させた状態のまま防湿袋１７内に密封状態で収容し、イメージングプレート３とインナーパッド１５をパック詰めした上記防湿袋１７を更にアウターパッド１９によって保持するようにしたものである。
【００８０】
具体的にはイメージングプレート３における取付基準プレート９と取付バネ突起１１の設置部位周辺にインナーパッド１５を取り付けるインナーパッド取付工程（図３参照）と、インナーパッド１５によって保持された状態のイメージングプレート３をインナーパッド１５と一緒に防湿袋１７内に収容し、内部を負圧状態とする防湿袋パック工程（図５参照）と、展開状態の内箱５９内にイメージングプレート３とインナーパッド１５とがパック詰めされた防湿袋１７を展開状態の内箱５９内に載置し、その周囲にアウターパッド１９を設置するアウターパッド設置工程（図５、６参照）と、内箱５９を折り畳むことによってイメージングプレート３とインナーパッド１５とがパック詰めされた防湿袋１７及びアウターパッド１９とを位置決めした状態で内箱５９を組み立てる内箱梱包工程（図７参照）と、梱包された内箱５９を底部に隅部補強パッド７７が配設された外箱７５内に収容し、内箱５９と外箱７５間の隙間にこれらの隙間を埋める補助パッド８５等を必要に応じて装填した後、外箱７５の蓋部７９を閉塞し、最終的な梱包形態を得る外箱梱包工程（図８、９参照）とを備えることによって本発明の輝尽性蛍光体プレート３の梱包方法は構成されている。
【００８１】
本発明に係る輝尽性蛍光体プレートの梱包構造１及び梱包方法は基本的に以上述べたように構成されるが、更に本発明の範囲内に包含される部分的構成の変更や削除等を行うことも可能である。例えば、インナーパッド１５やアウターパッド１９等の形状、サイズ、構成、取付位置ないし数量は適用するイメージングプレート３の形状、サイズ、構成等の変化に応じて適宜変更可能である。またインナーパッド１５やアウターパッド１９等の材料として使用した発泡ポリエチレン樹脂の発泡倍率は収容するイメージングプレート３の重量等の変動に応じて適宜調整することが可能であり、同様の特性を有する他の発泡合成樹脂に置き換えることも可能である。
【産業上の利用可能性】
【００８２】
本発明の輝尽性蛍光体プレートの梱包構造及び梱包方法はイメージングプレートを梱包する場合に利用でき、特に蒸着型イメージングプレートを梱包する場合に顕著な効果を発揮し得る。
【図面の簡単な説明】
【００８３】
【図１】本発明の適用対象である輝尽性蛍光体プレートを示す平面図である。
【図２】本発明に係る梱包構造における左右一対のインナーパッドを示す分解斜視図である。
【図３】インナーパッドを取り付けた状態の輝尽性蛍光体プレートの要部を拡大して示す斜視図である。
【図４】展開状態の内箱を示す斜視図である。
【図５】防湿袋内にパック詰めされたインナーパッドと輝尽性蛍光体プレートを載置し、その周囲にアウターパッドを設置して行く設置途中の状態を示す斜視図である。
【図６】アウターパッドの設置完了後の状態を示す斜視図である。
【図７】内箱の組立完了後の状態を示す斜視図である。
【図８】組み立てた内箱を外箱内に収容する収容途中の状態を示す分解斜視図である。
【図９】内箱を外箱内に収容した状態を示す斜視図である。
【符号の説明】
【００８４】
１  （輝尽性蛍光体プレートの）梱包構造、３  輝尽性蛍光体プレート（イメージングプレート）、５  輝尽性蛍光体層、７  支持基板、９  取付基準プレート、１１  取付バネ突起、１３  蒸着型イメージングプレート、１５  インナーパッド、１７  防湿袋、１９  アウターパッド、２１  インナーアンダーパッド（左側の）、２３  インナーアンダーパッド（右側の）、２５  インナーレフトパッド、２７  インナーライトパッド、２９  上層、３１  下層、３３  垂直凹部、３５  凹陥部、３７  短寸パッド片、３９  長寸パッド片、４１  水平凹部、４３  アウターフロントパッド、４５  アウターバックパッド、４７  アウターオーバーパッド（左側の）、４９  アウターオーバーパッド（右側の）、５１  アウターサイドパッド（左側の）、５３  アウターサイドパッド（右側の）、５５  延長オーバーパッド、５７  脚部パッド、５９  内箱、６１  底板、６３  谷折れ線、６５  側板、６７  天板、６９  中折れ板、７１  中折れフラップ、７５  外箱、７７  隅部補強パッド、７９  蓋部、８１  本体部、８３  段差部、８５  補助パッド、Ｓ  間隙、Ｔ  粘着テープ、Ｘ  幅方向、Ｙ  奥行方向、Ｚ  高さ方向
【図１】
2007030930.tif 000003
【図２】
2007030930.tif 000004
【図３】
2007030930.tif 000005
【図４】
2007030930.tif 000006
【図５】
2007030930.tif 000007
【図６】
2007030930.tif 000008
【図７】
2007030930.tif 000009
【図８】
2007030930.tif 000010
【図９】
2007030930.tif 000011